(57)【要約】【課題】破損のおそれにつながるような局部的な応力負担を防止するとともに、扉閉止時の脱落を確実に防止でき、スライドヒンジ用ダンパーの装着状態においても扉の位置調整を可能にし、家具収容容積を維持できるようにする。【解決手段】スライドヒンジ用ダンパー１は、ケース本体２と、このケース本体２に設けられるとともに、扉３１の閉止時に先端部が扉側に当接するダンパー４とから構成され、前記ケース本体２には、前部及び後部から夫々側方に突出するとともに、台座１４の前部及び後部に夫々係止する前後一対の係止部材５、６を設けることにより、扉３１の閉まり位置の直前で扉側に当接しダンパー力によって扉３１を減速させる。【選択図】図１
2010281107.tif 000002
【特許請求の範囲】
【請求項１】
台座を介して家具本体に固定されるヒンジ本体と、このヒンジ本体の扉側先端部にリンク部材を介して回動可能に連結されるとともに、扉に固定される扉側連結金具とからなるスライドヒンジに対して着脱可能に装着され、扉の閉まり位置の直前で扉側に当接しダンパー力によって扉を減速させるようにしたスライドヒンジ用ダンパーであって、
前記スライドヒンジ用ダンパーは、ケース本体と、このケース本体に設けられるとともに、扉閉止時に先端部が扉側に当接するダンパーとから構成され、
前記ケース本体には、前部及び後部から夫々側方に突出するとともに、前記台座の前部及び後部に夫々係止する前後一対の係止部材が設けられていることを特徴とするスライドヒンジ用ダンパー。
【請求項２】
前記前後一対の係止部材の内、前部側係止部材は相対的に剛性が高く難変形性に形成され、後部側係止部材は相対的に剛性が低く易変形性に形成されている請求項１記載のスライドヒンジ用ダンパー。
【請求項３】
前記台座には、両側に夫々、家具本体への固定用ビスを止め付けるフランジ部が設けられ、
前記ケース本体の底面には、前記スライドヒンジ用ダンパーの装着時に前記フランジ部がほぼ隙間無く嵌合される嵌合溝が形成されている請求項１、２いずれかに記載のスライドヒンジ用ダンパー。
【請求項４】
前記ダンパーは、油圧式ピストンダンパーとされる請求項１〜３いずれかに記載のスライドヒンジ用ダンパー。
【発明の詳細な説明】
【技術分野】
【０００１】
本発明は、家具などの前面に取り付けられた扉が勢いよく閉まるのを防止するため、扉の閉まり位置の直前で扉を減速させるようにしたスライドヒンジ用ダンパーに関する。
【背景技術】
【０００２】
従来より、家具などの前面に取り付けられた開き扉を家具本体の側板に干渉することなく揺動開閉を可能とするため、家具本体の側板の内面と扉の内面との間にスライドヒンジが取り付けられるとともに、この扉が勢いよく閉まるのを防止するため、ダンパー装置が取り付けられている。
【０００３】
前記スライドヒンジは、台座を介して家具本体に固定されるヒンジ本体と、このヒンジ本体の扉側先端部にリンク部材を介して回動可能に連結されるとともに、扉に固定される扉側連結金具とから構成されている。
【０００４】
下記特許文献１では、蝶番カップ（扉側連結金具）と、前記蝶番カップが開いた位置と閉じた位置間で蝶番アーム（ヒンジ本体）に対して旋回動作するように、前記蝶番カップに枢動可能に接続される前記蝶番アーム（ヒンジ本体）と、前記蝶番アームの外側から取り付けられる流体ダンパーのハウジングと、前記蝶番カップ又は前記蝶番カップに接続したドアに接触するように配置される前記流体ダンパーのスライダーとを含む流体ダンパーとから構成された蝶番が開示されている。
【０００５】
また下記特許文献２には、スライドヒンジの本体部に沿って着脱自在に装着するホルダと、家具扉の背面を受けるダンパーとを備え、前記ホルダには、前記本体部の壁面に形成されている開口部内に突入して係止して使用時における抜け外れを防ぎ、係止解除が可能な突入係止手段を備え、ホルダ面には、家具扉の取付け位置を前後方向に微調整するために前記本体部に螺装されているかぶせ量調整ネジの、少なくとも一方の頭部を露見させて、ドライバの先端部によるネジ操作を可能にする開口部又は切欠き部のいずれか又は双方が形成されたスライドヒンジ用ダンパー装置が開示されている。
【先行技術文献】
【特許文献】
【０００６】
【特許文献１】特開２００２−１３８７４６号公報
【特許文献２】特開２００６−１６９７７７号公報
【発明の概要】
【発明が解決しようとする課題】
【０００７】
しかしながら、上記特許文献１、２記載のスライドヒンジ用ダンパーでは、ヒンジ本体の上面に設けられた扉の位置を微調整するための調整ネジの操作用開口部に対して固定用突起が嵌合することによりヒンジ本体に取り付けられるため、扉が勢いよく閉まった場合、前記開口部に局部的に過度の応力負担が掛かり、ヒンジ本体の破損などが懸念されていた。
【０００８】
さらに、図８に示されるように、一般にヒンジ本体の上面は家具後側に向けて漸次外側に傾斜して形成されるため、かかるヒンジ本体の上面にスライドヒンジ用ダンパー５０を装着すると、スライドヒンジ用ダンパー５０も同様に傾斜して備えられるようになる。このため、扉閉止時にスライドヒンジ用ダンパーには、ダンパーのピストンを没入させる方向の力と同時に、ヒンジ本体から脱落させる方向の力も作用し、扉閉止時にスライドヒンジ用ダンパーが脱落しやすくなるという問題があった。
【０００９】
また、扉の位置調整は、前記開口部からドライバーなどの工具先端部を挿入して調整ネジの回動操作により行われるが、上記特許文献１記載の蝶番では、上述の通り前記開口部に対して流体ダンパーが固定されるため、前記流体ダンパーを装着した状態では、前記開口部から工具が挿入できなくなり、扉の位置調整が不可能となっていた。このため、扉の位置調整の度に、流体ダンパーを取り外さなければならない手間がかかっていた。
【００１０】
さらに、前記ヒンジ本体は、家具の側板の内側に突出して取り付けられるものであるので、上記特許文献１記載の蝶番のように、このヒンジ本体の上面にさらに家具の内側に突出させて流体ダンパーを取り付けた場合、大きな荷物等を収容し得る家具の内寸法が実質的に小さくなり、収容容積が小さくなるとともに、家具収容物の出し入れ時に流体ダンパーにぶつかって流体ダンパーの破損や脱落のおそれがあった。
【００１１】
そこで本発明の主たる課題は、破損のおそれにつながるような局部的な応力負担を防止するとともに、扉閉止時の脱落が確実に防止でき、スライドヒンジ用ダンパーの装着状態においても扉の位置調整を可能にし、家具収容容積を維持できるようにしたスライドヒンジ用ダンパーを提供することにある。
【課題を解決するための手段】
【００１２】
上記課題を解決するために請求項１に係る本発明として、台座を介して家具本体に固定されるヒンジ本体と、このヒンジ本体の扉側先端部にリンク部材を介して回動可能に連結されるとともに、扉に固定される扉側連結金具とからなるスライドヒンジに対して着脱可能に装着され、扉の閉まり位置の直前で扉側に当接しダンパー力によって扉を減速させるようにしたスライドヒンジ用ダンパーであって、
前記スライドヒンジ用ダンパーは、ケース本体と、このケース本体に設けられるとともに、扉閉止時に先端部が扉側に当接するダンパーとから構成され、
前記ケース本体には、前部及び後部から夫々側方に突出するとともに、前記台座の前部及び後部に夫々係止する前後一対の係止部材が設けられていることを特徴とするスライドヒンジ用ダンパーが提供される。
【００１３】
上記請求項１記載の発明では、スライドヒンジ用ダンパーとして、ケース本体に、前部及び後部から夫々側方に突出するとともに、台座の前部及び後部に夫々係止する前後一対の係止部材を設けた構造とすることにより、扉が勢いよく閉まった際にスライドヒンジ用ダンパーに掛かる応力負担を、家具本体との固定基部である台座によって受けることができるため、ヒンジ本体に過度の応力負担が掛かることが無く、ヒンジ本体の破損などのおそれが無くなる。
【００１４】
また、前記スライドヒンジ用ダンパーは、家具側面に対してほぼ平行に取り付けられるため、扉閉止時にダンパー先端部が扉側に当接すると、主にダンパーのピストンを没入させる方向の力のみが作用するので、スライドヒンジ用ダンパーの脱落などが生じなくなる。
【００１５】
また、前記スライドヒンジ用ダンパーは、前部及び後部から夫々側方に突出する前後一対の係止部材が、台座の前部及び後部に夫々係止して装着されるため、スライドヒンジ用ダンパーの装着状態でもヒンジ本体の上面に形成される工具先端部を挿入するための開口部が覆われることが無く、扉の位置調整が可能となる。また、スライドヒンジ用ダンパーはスライドヒンジの側部に設けられるため、家具の内寸法が小さくなることがなく、収容容積が維持できるとともに、家具収容物の出し入れ時にスライドヒンジ用ダンパーにぶつかって破損したり脱落するおそれも回避できる。
【００１６】
請求項２に係る本発明として、前記前後一対の係止部材の内、前部側係止部材は相対的に剛性が高く難変形性に形成され、後部側係止部材は相対的に剛性が低く易変形性に形成されている請求項１記載のスライドヒンジ用ダンパーが提供される。
【００１７】
上記請求項２記載の発明は、前後一対の係止部材が台座の前部及び後部に夫々係止され、扉閉止時の応力負担が前部側係止部材によって受け止める構造であるため、前後一対の係止部材の内、前部側係止部材を相対的に剛性が高く難変形性に形成したものである。また、係止部材を台座の前部及び後部に対して簡便に着脱できるようにするため、後部側係止部材を相対的に剛性が低く易変形性に形成するようにしたものである。
【００１８】
請求項３に係る本発明として、前記台座には、両側に夫々、家具本体への固定用ビスを止め付けるフランジ部が設けられ、
前記ケース本体の底面には、前記スライドヒンジ用ダンパーの装着時に前記フランジ部がほぼ隙間無く嵌合される嵌合溝が形成されている請求項１、２いずれかに記載のスライドヒンジ用ダンパーが提供される。
【００１９】
上記請求項３記載の発明では、ケース本体の底面に、スライドヒンジ用ダンパーの装着時に前記フランジ部がほぼ隙間無く嵌合される嵌合溝を形成することにより、扉が勢いよく閉まった際にスライドヒンジ用ダンパーに掛かる応力負担を前記フランジ部にも分担させるようにしたものである。
【００２０】
請求項４に係る本発明として、前記ダンパーは、油圧式ピストンダンパーとされる請求項１〜３いずれかに記載のスライドヒンジ用ダンパーが提供される。
【発明の効果】
【００２１】
以上詳説のとおり本発明によれば、破損のおそれにつながるような局部的な応力負担が防止できるとともに、扉閉止時の脱落が確実に防止でき、スライドヒンジ用ダンパーの装着状態においても扉の位置調整が可能となり、家具収容容積が維持できるようになる。
【図面の簡単な説明】
【００２２】
【図１】本発明に係るスライドヒンジ用ダンパー１をスライドヒンジ１０に装着した状態の斜視図である。
【図２】スライドヒンジ１０の斜視図である。
【図３】スライドヒンジ１０の平面図である。
【図４】スライドヒンジ用ダンパー１の平面図である。
【図５】スライドヒンジ用ダンパー１の分解斜視図である。
【図６】ケース本体を示す、(A)は平面図、(B)は側面図、(C)は前面図である。
【図７】スライドヒンジ用ダンパー１の装着要領図である。
【図８】従来のスライドヒンジ用ダンパー５０の装着状態を示す側面図である。
【発明を実施するための形態】
【００２３】
以下、本発明の実施の形態について図面を参照しながら詳述する。
【００２４】
本発明にかかるスライドヒンジ用ダンパー１は、図１に示されるように、家具などの前面の開き扉３１を家具本体３０の側板に干渉することなく揺動開閉させるため、家具本体３０の側板の内面と扉３１の内面との間に取り付けられたスライドヒンジ１０に対して着脱可能に装着して使用されるものであり、扉の閉まり位置の直前で扉側に当接しダンパー力によって扉を減速させるようにするためのものである。
【００２５】
以下、前記スライドヒンジ１０、スライドヒンジ用ダンパー１の順に説明する。
〔スライドヒンジ１０〕
前記スライドヒンジ１０は、詳細には図２及び図３に示されるように、台座１４を介して家具本体３０に固定されるヒンジ本体１５と、このヒンジ本体１５の扉側先端部にリンク部材１２を介して回動可能に連結されるとともに、扉３１に固定される扉側連結金具１３とから主に構成されている。
【００２６】
前記台座１４は、前後方向に長い台座本体部１４ａと、その両側に突出して設けられ家具本体３０への固定用ビスを止め付けるフランジ部１４ｂとから構成されている。前記台座本体部１４ａの上面には、断面略コの字型に形成されたヒンジ本体１５が長手方向に沿って取り付けられている。
【００２７】
前記台座１４と前記ヒンジ本体１５とは、偏心カム１６の回動操作によって台座本体部１４ａの長手方向と直交する方向（扉３１の上下方向）に位置調整可能に取り付けられるとともに、偏心カム１７の回動操作によって台座本体部１４ａの長手方向（扉３１の前後方向）に位置調整可能に取り付けられている。また、前記ヒンジ本体１５は、埋込ビス１８の螺進退操作によって台座１４の高さ方向（扉３１の左右方向）に位置調整可能とされている。
【００２８】
前記ヒンジ本体１５の上面には、前記偏心カム１６を回動操作するための工具先端が挿入可能な開口１５ａが設けられている。
【００２９】
前記ヒンジ本体１５の扉側先端部には、連結部材と板バネとからなる一対のリンク部材１２を介して扉側連結金具１３が回動可能に連結されている。
【００３０】
前記扉側連結金具１３は、扉３１の閉止時に前記リンク部材１２及びヒンジ本体１５の先端部が収容可能なカップ部１３ａが設けられるとともに、その両側に扉３１に固定するための固定部材１３ｂ、１３ｂが設けられている。
【００３１】
〔スライドヒンジ用ダンパー１〕
次に、前記スライドヒンジ用ダンパー１について詳説する。本スライドヒンジ用ダンパー１は、図４及び図５に示されるように、縦長の略直方体の外形を有するケース本体２と、このケース本体２の前側面に開口を臨ませて設けられた中空孔３に挿入されるとともに、先端部が扉側に当接するダンパー４とから構成されている。
【００３２】
前記ケース本体２には、図６に示されるように、前部及び後部から夫々側方に突出するとともに、前記台座１４の前部及び後部に夫々係止する前後一対の係止部材５、６が設けられている。前後一対の係止部材５、６の内、前部側係止部材５は、ケース本体２の側面の底部前方から該側面にほぼ垂直に突出して設けられ、その先端部に後側に向けて係止用爪５ａが備えられている。一方、後部側係止部材６は、後側面の底部中央から該後側面にほぼ垂直に突出するとともに、前記前部側係止部材５と同一方向に屈曲して形成され、その先端部に前側に向けて係止用爪６ａが備えられている。この前後一対の係止部材５、６が、台座本体部１４ａの前部及び後部に夫々係止されることにより、スライドヒンジ用ダンパー１は装着状態においてヒンジ本体１５の側部に位置する。このため、ヒンジ本体１５の上面が覆われることが無く、スライドヒンジ用ダンパー１の装着状態でも前記偏心カム１６、１７及び埋込ビス１８の回動操作による扉３１の位置調整が可能となる。また、家具側面に対してほぼ平行して設けられるため、扉閉止時にダンパー先端部が扉側に当接したときに、主にピストン没入方向の力のみが作用するため、スライドヒンジ用ダンパー１の脱落が防止でき、扉の閉止動作に対して確実にダンパー力を作用させることができるようになる。さらに、ヒンジ本体１５の側部に装着されるため、家具内寸を狭小化することがなく、家具収容容積が維持できるとともに、家具収容物の出し入れ時にスライドヒンジ用ダンパー１の破損や脱落のおそれも無くなる。
【００３３】
ところで、前記前後一対の係止部材５、６の内、前部側係止部材５は、扉閉止時の応力負担を受け止める部分なので、相対的に剛性が高く難変形性に形成されることが望ましく、一方後部側係止部材６は、スライドヒンジ用ダンパー１の着脱時に若干変形可能とするため、相対的に剛性が低く易変形性に形成されるようにすることが望ましい。具体的に、前部側係止部材５は、扉閉止時にスライドヒンジ用ダンパー１に作用する応力負担に対して十分な強度を有するように、前後方向に幅広の断面形状とする。一方、後部側係止部材６は、前述の通り屈曲構造を有するとともに、前部側係止部材５より幅狭の断面形状とすることにより、易変形性に形成している。
【００３４】
また、前記ケース本体２の底面には、スライドヒンジ用ダンパー１をスライドヒンジ１０に装着する際に、フランジ部１４ｂがほぼ隙間無く嵌合される嵌合溝７が形成されるようにする。この嵌合溝７を設けることにより、スライドヒンジ用ダンパー１に掛かる応力負担を前記フランジ部１４ｂにも分担することができ、扉が勢いよく閉まった場合でも前記係止部材５、６に過度の応力負担が掛かるのが防止できる。
【００３５】
さらに、前記ケース本体２の側面後方には、前記係合部材５、６の突出方向と同じ側方に突出する係止片８を設けることが好ましい。前記係止片８は、スライドヒンジ用ダンパー１の装着時に台座１４の上面に係止し、スライドヒンジ用ダンパー１の装着状態を補強するためのものである。
【００３６】
前記ダンパー４は、ケース本体２の中空孔３に挿入して設けられる略円筒形状のケーシング４ａと、このケーシング４ａ内を前後に移動するとともに、一方端がケーシング４ａから突出して設けられ、その先端部４ｃが扉３１又は前記扉側連結金具１３に当接するピストン４ｂと、前記ケーシング４ａ内に配設され、前記ピストン４ｂをケーシング４ａから突出する方向に付勢するバネ部材（図示せず）とから構成されている。そして、前記ケーシング４ａ内に、前記ピストン４ｂの移動を緩衝するダンパー用流体などが封入されている。このダンパー４は、扉３１の閉まり位置の直前でダンパー４ｂの先端部４ｃが扉３１又は前記扉側連結金具１３に当接し、ダンパー４ｂのダンパー力によって扉３１の閉まり速度を減速させ、扉３１をゆっくりと閉めるように作用する。そして、扉３１の開状態において、前記ダンパー４ｂは、前記バネ部材の付勢力により、一方端が突出した位置で保持される。
【００３７】
前記ダンパー４は、油圧式ダンパー、空気式ダンパー、回転式ダンパーなど公知のダンパー機構のいずれでもよいが、油圧式ピストンダンパーが好適に使用できる。
【００３８】
以上の構成からなるスライドヒンジ用ダンパー１をスライドヒンジ１０に装着するに際しては、図７に示されるように、スライドヒンジ１０を家具に取り付けた状態で、前記スライドヒンジ用ダンパー１を一方側の側部（家具本体に対して上部）から装着する（図７(A)）。具体的には、係止部材５、６が台座本体部１４ａの前後端部に当接した状態から、さらに垂直に押し込むか、若干斜めにして後部側係止部材６を後側に押し広げながら押し込むようにする（図７(B)）。このとき、ケース本体２の底面に形成された嵌合溝７を台座１４のフランジ部１４ｂに嵌合させるとともに、前記係止片８を台座１４の上面に係合させるようにする。その後、係止部材５、６の係止用爪５ａ、６ａを台座本体部１４ａの他端画側側面に係止することにより装着が完了する。
【００３９】
前記スライドヒンジ用ダンパー１を脱着するには、前記後部側係止部材６を後側に広げ、係止用爪６ａと台座本体部１４ａとの係合を解除し、スライドヒンジ用ダンパー１を上方に引き上げることにより完了する。
【００４０】
このように、本発明に係るスライドヒンジ用ダンパー１は、ワンタッチで着脱することができ、着脱作業が容易となる。
【符号の説明】
【００４１】
１…スライドヒンジ用ダンパー、２…ケース本体、３…中空孔、４…ダンパー、５…前部側係止部材（係止部材）、６…後部側係止部材（係止部材）、７…嵌合溝、８…係止片、１０…スライドヒンジ、１２…リンク部材、１３…扉側連結金具、１４…台座、１５…ヒンジ本体
【図１】
2010281107.tif 000003
【図２】
2010281107.tif 000004
【図３】
2010281107.tif 000005
【図４】
2010281107.tif 000006
【図５】
2010281107.tif 000007
【図６】
2010281107.tif 000008
【図７】
2010281107.tif 000009
【図８】
2010281107.tif 000010